(57)【要約】      （修正有）【課題】製作上のコントロールがし易く、組立が簡単、軽量化を実現する全包覆軽量タイプの幼児安全椅子を提供する。【解決手段】全包覆軽量タイプの幼児安全椅子は、発泡膨脹材によって形成される本体（または緩衝部）と本体周辺の側面とを含む。本体は、内端面と外端面に区分けし、第一硬質層１０は本体の内端面上を被覆し、第二硬質層２０は本体の外端面を包覆する。これによって、発泡膨脹材料（または本体）と第一硬質層及び第二硬質層は、緊密且つ堅牢に複合される。これにより、安全椅子の強度を保ちつつ全体重量を下げ、携帯使用を便ならしめる。【選択図】図１
0003171971.tif 000002
【実用新案登録請求の範囲】
【請求項１】
背もたれ区と、腰掛け区と、横方向参考軸とを定義する全包覆軽量タイプの幼児安全椅子において、
その安全椅子の両側辺にはそれぞれ、高さが少なくとも安全椅子の幅の３分の１以上の側面を形成し、安全椅子は、
上表面と下表面とを備える第一硬質層と、
上表面と下表面とを備える第二硬質層と、
第一硬質層と第二硬質層の間に完全に包覆され、内端面と外端面とを備える発泡材によって形成される本体とを含んでなり、
前記第一硬質層は本体の内端面上を被覆し、第二硬質層は本体の外端面を包覆し、本体と第一硬質層と第二硬質層とを結合して全体を構成することを特徴とする全包覆軽量タイプの幼児安全椅子。
【請求項２】
前記安全椅子の周辺区域にはエッジ部分を形成することを特徴とする請求項１に記載の全包覆軽量タイプの幼児安全椅子。
【請求項３】
前記安全椅子のエッジ部分は、第一硬質層と第二硬質層のエッジ部分が連接する本体のエッジ部分を包覆して構成されることを特徴とする請求項２に記載の全包覆軽量タイプの幼児安全椅子。
【請求項４】
前記第一硬質層と第二硬質層と本体の少なくともいずれか一つに、案内溝を配置することを特徴とする請求項１に記載の全包覆軽量タイプの幼児安全椅子。
【請求項５】
前記案内溝の経路上には少なくとも一つのエア孔を配置することを特徴とする請求項４に記載の全包覆軽量タイプの幼児安全椅子。
【請求項６】
前記案内溝の配置形態は、複数の細長く浅い溝とし、一部を平行及び交差させる構成方式としてＹ字形及びＸ字形の組み合わせ形態をなし、側面区域まで延伸配置することを特徴とする請求項４に記載の全包覆軽量タイプの幼児安全椅子。
【請求項７】
前記本体と第一硬質層及び第二硬質層間には、直接、発泡材を用いて第一硬質層と第二硬質層内に発泡を生じさせ、本体と第一硬質層及び第二硬質層を複合して全体を形成することを特徴とする請求項１或いは３に記載の全包覆軽量タイプの幼児安全椅子。
【請求項８】
前記第一硬質層及び第二硬質層と本体との間は粘着結合して全体を形成することを特徴とする請求項１或いは３に記載の全包覆軽量タイプの幼児安全椅子。
【請求項９】
前記安全椅子の側面箇所には、持ち手を枢着する枢着部を配置し、回転自在な形態をなすことを特徴とする請求項１に記載の全包覆軽量タイプの幼児安全椅子。
【請求項１０】
前記第一硬質層の下表面には複数個の固定部を備え、それに相対する本体には複数個の嵌合部を形成することを特徴とする請求項１に記載の全包覆軽量タイプの幼児安全椅子。
【請求項１１】
前記第二硬質層の上表面には複数個の固定部を備え、それに相対する本体には複数個の嵌合部を形成することを特徴とする請求項１に記載の全包覆軽量タイプの幼児安全椅子。
【請求項１２】
前記固定部と嵌合部は、凸と凹の形状をなすことを特徴とする請求項１０或いは１１に記載の全包覆軽量タイプの幼児安全椅子。
【請求項１３】
前記固定部と嵌合部は、安全椅子の背もたれ区に配置することを特徴とする請求項１２に記載の全包覆軽量タイプの幼児安全椅子。
【請求項１４】
前記安全椅子の背もたれ区区域には通風孔を設置することを特徴とする請求項１に記載の全包覆軽量タイプの幼児安全椅子。
【請求項１５】
前記第一硬質層及び／または第二硬質層及び本体には通風孔を配置し、該通風孔は柱孔形状とすることを特徴とする請求項１４に記載の全包覆軽量タイプの幼児安全椅子。
【請求項１６】
前記第一硬質層及び第二硬質層の少なくとも一つには、少なくとも一つの脇骨部を形成することを特徴とする請求項１或いは３に記載の全包覆軽量タイプの幼児安全椅子。
【請求項１７】
前記脇骨部には錘部材を組み合わせて装着することを特徴とする請求項１６に記載の全包覆軽量タイプの幼児安全椅子。
【請求項１８】
前記錘部材はπ形状とすることを特徴とする請求項１７に記載の全包覆軽量タイプの幼児安全椅子。
【請求項１９】
前記固定部と嵌合部は、安全椅子の腰掛け区に配置することを特徴とする請求項１２に記載の全包覆軽量タイプの幼児安全椅子。
【請求項２０】
前記固定部と嵌合部は、安全椅子の側面に配置することを特徴とする請求項１２に記載の全包覆軽量タイプの幼児安全椅子。
【請求項２１】
前記案内溝は、第一硬質層の上表面に形成し、尚且つ、それに相対する下表面には突出部を形成することを特徴とする請求項４に記載の全包覆軽量タイプの幼児安全椅子。
【請求項２２】
前記第二硬質層の上表面の案内溝に対応する箇所に突出部を形成することを特徴とする請求項４に記載の全包覆軽量タイプの幼児安全椅子。
【請求項２３】
前記突出部には錘部材を組み合わせることを特徴とする請求項２１或いは２２に記載の全包覆軽量タイプの幼児安全椅子。
【請求項２４】
前記錘部材は、コの字形に近い形状とすることを特徴とする請求項２３に記載の全包覆軽量タイプの幼児安全椅子。
【考案の詳細な説明】
【技術分野】
【０００１】
本考案は、全包覆成形または一体発泡成形の幼児安全椅子構造に関し、特に、発泡緩衝材の内端面と外端面にゴム外殻または硬質層等の組織を設計し、発泡緩衝材とゴム外殻または硬質層を一体複合成形する技術手段による全包覆軽量タイプの幼児安全椅子に係る。
【背景技術】
【０００２】
ポリスチレン（Ｐｏｌｙｓｔｙｒｅｎｅ）、ウレタン（Ｕｒｅｔｈａｎｅ）等の発泡プラスチックまたは発泡材料を組み合わせたソフトタイプのクッション、硬質底盤等を使用して構成される幼児安全椅子は、赤ちゃんや幼児に対する衝撃をやわらげ危険から身を守る公知技術である。例えば、特許文献１の米国特許第７７２６７３４Ｂ２号「弾力性のある側面衝撃保護を備えた幼児椅子（Ｊｕｖｅｎｉｌｅ  Ｓｅａｔｉｎｇ  Ｗｉｔｈ  Ｒｅｓｉｌｉｅｎｔ  Ｓｉｄｅ  Ｉｍｐａｃｔ  Ｐｒｏｔｅｃｔｉｏｎ）」、特許文献２の米国特許第５６１５９２７号「保育用椅子（Ｓｅａｔ  Ｆｏｒ  Ｃｈｉｌｄ−ｃａｒｅ  Ｉｍｐｌｅｍｅｎｔ）」、特許文献３の米国特許第５３８５３８５号「自動車用チャイルドシート（Ｃｈｉｌｄ’ｓ  Ａｕｔｏｍｏｔｉｖｅ  Ｓａｆｅｔｙ  Ｂｏｏｓｔｅｒ  Ｓｅａｔ  Ｗｉｔｈ  Ａ  Ｖｉｅｗ）」等において、典型的な実施例が開示されている。
【０００３】
赤ちゃんのための安全椅子を製作する課題は、安全椅子構造の強度や振動吸収または緩衝効果を実現することにあるが、発泡緩衝（または膨脹）材によって構成される赤ちゃん用椅子は、通常、厚みがあり、その製造作業も比較的面倒になる。例えば、特許文献２の米国特許第５６１５９２７号における三層の発泡材による技術や、特許文献３の米国特許第５３８５３８５号における厚みのある腰掛け部分を備えた安全椅子に開示されたとおりである。
【０００４】
上述の欠点を改善するため、従来技術には既に、発泡緩衝材の組み合わせまたは硬質底盤（またはプラスチック外殻体）を応用した手段が開示されている。しかし、これらの実施例では、発泡緩衝材は外表面に露出されているため（使用時）、発泡緩衝材が損傷を受け易いという欠点がある。
【０００５】
前述のような状況を減少させるため、発泡緩衝材の外表にソフトパッドの部材を組み合わせる実施例もあるが、本技術の熟知者によると、相対して製造コストも上昇し、組み合わせ作業の面倒も増える。並びに、安全椅子の重量を軽くできないために、ユーザー側の携帯使用の過程における負担となり、実用性に大きく影響し、これらの状況は我々の望むところではない。
【０００６】
前記参考資料によるものは、主に、幼児用安全椅子の設計に関する技術を示したものであるが、それらは、安全椅子構造の設計及び製作において、やはり理想的ではないことが理解される。安全椅子の構成について再度考慮するのなら、その構造をさらに堅牢且つ軽量にして公知技術とは異なるものとし、その製作及び加工形態を変化させることにより、従来のものとは別のものとなる。実際においては、公知技術に存在する欠点を改善するが、これらの課題には、次のいくつかの点が挙げられる。
（１）十分な抗衝撃強度（または緩衝作用）を備えるという条件のもと、安全椅子が重すぎるか体積が大きすぎることによって携帯や持ち運びが不便にならないように、発泡緩衝（または膨脹）材によって構成される安全椅子または本体全体の厚さは厚すぎてはならない。
（２）快適性を備えさせるという条件のもと、ソフトパッドまたはそれに関連する構成要素と安全椅子の組立作業を極力最小限にしてこそ、安全椅子の製造コスト、組立コストを削減できる。特に、大量の部材を用いることが安全椅子の製作効率が遅らせるのは明らかであるため、顕著な改善がおこなえる。
（３）発泡緩衝材によって構成される安全椅子または本体は理想的に保護されなければならない。特に、使用時に損傷を受ける状況はできる限り最低に抑えなければならず、こうして初めて、発泡緩衝材に与える吸振または緩衝作用を最小限にできる。
【０００７】
言い換えれば、安全椅子を一体成形する手段を提供でき、尚且つ、それに発泡緩衝材を完全に包み覆う構造を備えさせることができるのなら、公知技術における理想的でない状況及び前述の考慮点を解決することができ、この手段は、前述した特許案においては未だ開示されておらず市場にも見られないものである。
【先行技術文献】
【特許文献】
【０００８】
【特許文献１】米国特許第７７２６７３４Ｂ２号明細書
【特許文献２】米国特許第５６１５９２７号明細書
【特許文献３】米国特許第５３８５３８５号明細書
【考案の概要】
【考案が解決しようとする課題】
【０００９】
本考案の主な目的は、公知技術において、製作上のコントロールが困難、装着が面倒、重量の効果的な下降が不可能等の問題点を改善する全包覆軽量タイプの幼児安全椅子を提供することにある。
【００１０】
それは、第一硬質層と、第二硬質層と、第一硬質層と第二硬質層の間に包み込まれる本体（または緩衝部）とを含む。該本体は、発泡膨脹材によって形成され、緩衝作用を備える。本体は、内端面と外端面と本体周辺に形成する側面とに分けられる。第一硬質層は、本体の内端面上を被覆し、第二硬質層は、本体の外端面を包覆する。発泡緩衝材（または本体）と第一硬質層と第二硬質層は緊密状態に複合された形態をなし、公知の安全椅子の重く、携帯に不便等の欠点を改善する。
【課題を解決するための手段】
【００１１】
本考案の全包覆軽量タイプの幼児安全椅子に基づき、第一硬質層及び／または本体及び／または第二硬質層には案内溝を配置し、安全椅子または本体の抗圧及び積載強度を強化する。また、第一硬質層及び／または本体及び／または第二硬質層の案内溝の経路上には、複数個のエア孔を配置し、安全椅子に赤ちゃんや幼児を乗せる際の通気性を高める。
【００１２】
実際には、前記案内溝及びエア孔によって、空気流動や排除を促す経路とメカニズムが構築される。言い換えるなら、本体と、第一硬質層、第二硬質層は、共に一つのモールド内に配置され、加熱して一体成形をおこなう作業において、モールド内のエアは、発泡緩衝（または膨脹）材の働きにより、案内溝に沿って流動した後、エア孔から排出される。
【００１３】
本考案の全包覆軽量タイプの幼児安全椅子に基づき、本体周辺区域に形成する側面の高さは、少なくとも、本体幅の３分の１に等しくする。これによって、側面に保護作用が築かれ、側面は、本体に乗っている赤ちゃんや幼児を包み込む働きをする。
【００１４】
本考案の全包覆軽量タイプの幼児安全椅子に基づき、第一硬質層には上表面と下表面とを備え、下表面には少なくとも一つの脇骨部を形成する。脇骨部には錘部材を取り付け、本体と第一硬質層を共にモールド内に配置し、加熱して一体成形をおこなう作業時に、発泡膨脹材料（または本体）をリベット接合する役割を果たし、本体と第一硬質層にはさらに安定した結合状態をつくりだし、並びに、第一硬質層と本体の構造強度を高める。
【考案の効果】
【００１５】
本考案の全包覆軽量タイプの幼児安全椅子は、次のような効果を備える。
（１）安全椅子１００の構造は新たに設計されたもので、公知の構造とは別のものである。並びに、その製作及び加工形態も改善しているため、公知技術とは異なる。例えば、安全椅子１００には、第一硬質層１０と、第二硬質層２０と、第一硬質層１０と第二硬質層２０とで共に包覆するか一体成形し発泡緩衝（または吸振）材を複合することにより形成される本体３０とを含む。
（２）本体３０は二層の硬質層を結合する構造形態をなし（即ち、第一硬質層１０と第二硬質層２０とで本体３０を包覆する）、十分な抗衝撃強度（または緩衝作用）を備える条件下において、発泡緩衝材によって構成される安全椅子１００または本体３０の厚さを公知技術よりさらに薄い形態に製作できる。よって、公知技術において、十分な強度を提供するために安全椅子の厚み、重量、体積が過大となり携帯や持ち運びを不便にしている状況を顕著に改善する。
（３）第一硬質層１０と第二硬質層２０が本体３０を包覆する構造形態、及びエッジ部分１０４にゴムを応用したソフトパッドまたは関連部材を直接被嵌することによって快適性を備えさせる条件下において、安全椅子１００の組立作業を極力最小限に抑える。それと同時に、公知技術においては、プラスチックの鉤片でソフトパッドを縫いつけ、ソフトパッドを安全椅子上に固定した形態を改善する。
（４）第一硬質層１０と第二硬質層２０と本体３０をモールド内で一体発泡成形する手段は、公知技術と比較して、安全椅子の製造コスト、組立コストを、最小限に抑えることができる。特に、大量の部材を使用することは、明らかに安全椅子の製作効率や品質アップを妨げるものであるため、顕著な改善となる。
（５）第一硬質層１０と第二硬質層２０が本体３０を包覆する構造形態は、発泡膨脹材によって構成される安全椅子１００または本体３０全体を公知技術より理想的に保護する。特に、使用時において、第一硬質層１０と第二硬質層２０で包覆された本体３０が受ける損傷を極力最低限に抑えるとともに、損傷が発泡膨脹材の吸振作用や緩衝作用に与える影響を最小限にする。
（６）本体３０は、第一硬質層１０と第二硬質層２０に包覆されるか、一体発泡成形される構造で、発泡緩衝材を完全に包覆する技術を提供する。安全椅子に接合の縫い目や隙間が多く、汚れが付着し易い従来技術の状況を極力最小限に抑える。並びに、本体３０が第一硬質層１０及び第二硬質層２０によって完全包覆される構造形態は、洗浄または掃除の実施を便利にするものである。
（７）第一硬質層１０と第二硬質層２０が本体３０を包覆する構造形態は、許容される印刷、粘着、共押出し等方式を応用して、各種面材（例えば、布、ラバー等）または図案を結合することにより、安全椅子１００の階層作用や設計効果を高める。
（８）安全椅子１００が思いがけず水に落下した時であっても、安全椅子１００に設置されている複数個のエア孔４５によって一部の水量が安全椅子１００内に進入するため、安全椅子１００はバランスをとり、転覆することがなく、乗っている人の安全を確保する。
【図面の簡単な説明】
【００１６】
【図１】本考案の安全椅子の外観を示した図である。図中の破線部分は、安全椅子に組み合わせた持ち手である。
【図２】本考案の構造における第一硬質層と、第二硬質層と、本体とを示した分解図である。
【図３】本考案の構造における第一硬質層の固定部と本体の嵌合部の結合状態を示した断面図（１）である。
【図４】本考案の構造において、第一硬質層と第二硬質層とで本体を包み込んだ状態を示した断面図（２）である。
【図５】本考案の構造において、第一硬質層に錘部材を組み合わせ、本体と結合して形成される全体を示した断面図（３）である。
【図６】本考案の構造において、第一硬質層の突出部に錘部材を組み合わせ、本体と結合して形成される全体を示した断面図（４）である。
【考案を実施するための形態】
【００１７】
図１、図２、図３における本考案の全包覆軽量タイプの幼児安全椅子は、図面の符号１００によって示される。安全椅子１００は、第一硬質層１０と第二硬質層２０と、第一硬質層１０と第二硬質層２０の間に包み込まれる本体（または緩衝部）３０とを含む。本考案の実施例において、好ましくは、第一硬質層１０と第二硬質層２０には、プラスチック外殻体を選択する。本体３０は、発泡緩衝（吸振）材により作られ、緩衝作用を備える。使用されるのは、例えば、ＥＰＳ、ＥＰＯ、ＥＰＰ、ＥＰＵ、或いはそれに類似する材料とする。
【００１８】
原則上、安全椅子１００には、それに乗せる人の位置に基づき、背もたれ区１０１と腰掛け区１０２を備え、並びに、安全椅子１００（または本体３０）の両側または周囲（区域）にはそれぞれ、側面１０３とエッジ部分１０４を形成する。側面１０３は、例えば、赤ちゃんや幼児等の安全椅子１００内に乗せる人を保護するためのものである。
【００１９】
図１の破線部分は、安全椅子１００の側面１０３箇所に、持ち手６０を枢着するために配置した枢着部１０６を示し、それは、回転自在状態にある。
【００２０】
図２は、特に、本体３０が内端面３１と外端面３２に分けられることを示す。第一硬質層１０は、本体の内端面３１上を被覆し、第二硬質層２０は、本体の外端面３２を包覆する。発泡緩衝材（または本体３０）と第一硬質層１０と第二硬質層２０は緊密状態に結合された状態をなし、公知の安全椅子にある重く、携帯に不便等の欠点を改善する。
【００２１】
前記実施例において、安全椅子１００のエッジ部分１０４は、第一硬質層１０（及び／または第二硬質層２０）のエッジ部分１０４によって連接する本体３０のエッジ部分１０４を包み込んで構成される。よって、エッジ部分１０４もまたゴムによってソフトパッドを固定する作用を提供する。
【００２２】
図２に示した実施例において、少なくとも第一硬質層１０及び／または本体３０及び／または第二硬質層２０に案内溝４０を配置し、安全椅子１００（または本体３０）の抗圧及び積載強度を強化する。また、第一硬質層１０及び／または本体３０及び／または第二硬質層２０の該案内溝４０の経路上には、複数個のエア孔４５を配置し、安全椅子１００に赤ちゃんや幼児を乗せる際の通気性を高める。
【００２３】
実際には、前記案内溝４０及びエア孔４５によって、空気流動や排除を促す経路とメカニズムが構築される。言い換えるなら、本体３０と、第一硬質層１０、第二硬質層２０は、共に一つのモールド（未図示）内に配置され、加熱して一体成形をおこなう作業において、モールド内のエアは、発泡緩衝（または膨脹）材の働きにより、案内溝４０に沿って流動した後、エア孔４５から排出される。また、本体３０と、第一硬質層１０、第二硬質層２０間では、発泡材を直接、第一硬質層１０と第二硬質層２０内で発泡させて本体３０を作り、複合させて一つの全体を構成する。
【００２４】
採用する実施例では、安全椅子１００（または本体３０または第一硬質層１０または第二硬質層２０）上に配置する案内溝４０は、複数の細く浅い溝とし、一部を平行及び交差方式によってＹ字形及びＸ字形を組み合わせた形態をなし、側面１０３区域まで延伸配置する。
【００２５】
展開される実施例において、第一硬質層１０、第二硬質層２０は、粘着方式によって本体３０と結合し、一つの全体を構成する。
【００２６】
一つの好ましい実施例において、安全椅子１００に横方向参考軸χを定義し、横方向参考軸χを参考基準線とするなら、安全椅子１００（または本体３０）周辺区域に形成する側面１０３の高さは、少なくとも、安全椅子１００（または本体３０）の幅の３分の１に等しくする。これによって、側面１０３に保護作用が築かれ、側面１０３は、安全椅子１００（または本体３０）上に乗っている赤ちゃんや幼児を包み込む働きをする。
【００２７】
図２、図３、図４に示すとおり、第一硬質層１０（または第二硬質層２０）には、上表面１１（または２１）及び下表面１２（または２２）を設ける。該下表面１２（または第二硬質層２０の上表面２１）には、複数個の固定部１３（または２３）を配置し、固定部１３（または２３）に対応する本体３０には、複数個の嵌合部３３を形成する。これにより、第一硬質層１０（または第二硬質層２０）と本体３０を複合または結合する時、固定部１３（または２３）は、嵌合部３３に組み合わせられて固定し、第一硬質層１０（または第二硬質層２０）と本体３０を固定した状態で結合する形態を構成する。
【００２８】
採用する実施例において、固定部１３（または２３）は、凸部またはリベット等の形態とするため、本体３０の嵌合部３３は、窪んだ形態とするか、本体３０をモールド内で発泡膨脹させた時、本体３０の発泡材が固定部１３（または２３）を包覆し、それに対応して嵌合部３３の形態が形成される。実施例では、固定部１３（または２３）と嵌合部３３は、安全椅子の背もたれ区１０１箇所に配置されるが、それらを腰掛け区１０２または側面１０３区域に配置することも可能である。
【００２９】
展開される実施例において、固定部１３（または２３）は、窪んだ形態とすることも可能である。それに対して、本体３０の嵌合部３３を凸部またはリベット形態とすることも可能である。
【００３０】
安全椅子１００に人を乗せている際の通気効果を高めるため、安全椅子１００の背もたれ区１０２区域に、通風孔１０５を配置する。実施可能な実施例において、第一硬質層１０及び／または第二硬質層２０の通風孔１０５は、柱孔のような形態とし、それらによって本体３０上に形成した通風孔１０５を包覆する。また、該包覆形態によって、第一硬質層１０、第二硬質層２０、及び本体３０を結合する固定効果と安定性も高められる。
【００３１】
図５に示すとおり、展開される実施例では、第一硬質層１０の下表面１２（または第二硬質層２０の上表面２１）に少なくとも一つの脇骨部１４を形成する。該脇骨部１４には錘部材５０を組み合わせるため、本体３０と第一硬質層１０（及び／または第二硬質層２０）を共にモールド内に配置し、加熱して一体成形をおこなう作業において、発泡緩衝材を発泡膨脹させて本体３０を形成する過程では、本体３０と錘部材５０を緊密結合させられるだけでなく、発泡膨漲によって自然に形成される内圧をさらに利用して、錘部材５０と第一硬質層１０の間に非常に好ましい結合力を生じさせ、本体３０と第一硬質層１０間に、さらに安定した結合状態をつくりだし、それと同時に、第一硬質層１０、第二硬質層２０、本体３０を結合させた後の全体構造の強度を高める。採用する実施例において、錘部材５０はπのような形態をなす。
【００３２】
図６には、案内溝４０に錘部材５０を組み合わせた実施例を示す。該案内溝４０を第一硬質層１０の上表面１１に形成し、尚且つ、それに相対する案内溝４０箇所の下表面１２方向には、脇骨または突出部４０’を形成（または、案内溝４０に対応する第二硬質層２０の上表面２１箇所に脇骨または突出部を形成する）し、錘部材５０を該脇骨または突出部４０’上に組み合わせる。これにより、発泡緩衝材（または本体３０）をリベット接合するのを助け、本体３０と第一硬質層１０（または第二硬質層２０）を安定した結合状態にし、第一硬質層１０（または第二硬質層２０）と本体３０の構造強度を高めることができる。採用する実施例において、錘部材５０をコの字形とすることも可能である。
【００３３】
ここで説明すべき点は、最初、錘部材５０と脇骨部１４（または突出部４０’）を組み合わせた後、発泡緩衝材を加熱膨脹して成形する。該発泡緩衝材には、膨脹による押圧力（または圧力）が発生して、錘部材５０と脇骨部１４（または突出部４０’）にからみつき、発泡緩衝材（または本体３０）と第一硬質層１０（または第二硬質層２０）に安定した結合状態を生じさせる。また、第一硬質層１０（または第二硬質層２０）と本体３０の全体構造強度を高め、それに対して、本体３０の厚さをできる限り薄くさせられるため、安全坐椅１００全体の体積及び重量を最小にすることが可能である。並びに、結合する錘部材５０の構造形態または材料の変化や調整によって、構造強度の異なる要求に応じ、異なる使用場所での条件に合わせられるため、安全椅子１００の製造にさらに大きな活用性が備えられる。
【００３４】
本考案の全包覆軽量タイプの幼児安全椅子は、従来技術と比較して、次に挙げるような条件と長所を備える。
【００３５】
（１）安全椅子１００の構造は新たに設計されたもので、公知の構造とは別のものである。並びに、その製作及び加工形態も改善しているため、公知技術とは異なる。例えば、安全椅子１００には、第一硬質層１０と、第二硬質層２０と、第一硬質層１０と第二硬質層２０で共に包覆するか発泡緩衝（または吸振）材を一体成形して複合することによって形成される本体３０とを含む。
（２）本体３０は二層の硬質層を結合する構造形態をなし（即ち、第一硬質層１０と第二硬質層２０とで本体３０を包覆する）、十分な抗衝撃強度（または緩衝作用）を備える条件下において、発泡緩衝材によって構成される安全椅子１００または本体３０の厚さを公知技術よりさらに薄い形態に製作できる。よって、公知技術において、十分な強度を提供するために安全椅子の厚み、重量、体積が過大となり携帯や持ち運びを不便にしている状況を顕著に改善する。
（３）第一硬質層１０と第二硬質層２０が本体３０を包覆する構造形態、及びエッジ部分１０４にゴムを応用したソフトパッドまたは関連部材を直接被嵌することによって快適性を備えさせる条件下において、安全椅子１００の組立作業を極力最小限に抑える。それと同時に、公知技術においては、プラスチックの鉤片でソフトパッドを縫いつけ、ソフトパッドを安全椅子上に固定した形態を改善する。
（４）第一硬質層１０と第二硬質層２０と本体３０をモールド内で一体発泡成形する手段は、公知技術と比較して、安全椅子の製造コスト、組立コストを、最小限に抑えることができる。特に、大量の部材を使用することは、明らかに安全椅子の製作効率や品質アップを妨げるものであるため、顕著な改善となる。
（５）第一硬質層１０と第二硬質層２０が本体３０を包覆する構造形態は、発泡膨脹材によって構成される安全椅子１００または本体３０全体を公知技術より理想的に保護する。特に、使用時において、第一硬質層１０と第二硬質層２０で包覆された本体３０が受ける損傷を極力最低限に抑えるとともに、損傷が発泡膨脹材の吸振作用や緩衝作用に与える影響を最小限にする。
（６）本体３０は、第一硬質層１０と第二硬質層２０に包覆されるか、一体発泡成形される構造で、発泡緩衝材を完全に包覆する技術を提供する。安全椅子に接合の縫い目や隙間が多く、汚れが付着し易い従来技術の状況を極力最小限に抑える。並びに、本体３０が第一硬質層１０及び第二硬質層２０によって完全包覆される構造形態は、洗浄または掃除の実施を便利にするものである。
（７）第一硬質層１０と第二硬質層２０が本体３０を包覆する構造形態は、許容される印刷、粘着、共押出し等方式を応用して、各種面材（例えば、布、ラバー等）または図案を結合することにより、安全椅子１００の階層作用や設計効果を高める。
（８）安全椅子１００が思いがけず水に落下した時であっても、安全椅子１００に設置されている複数個のエア孔４５によって一部の水量が安全椅子１００内に進入するため、安全椅子１００はバランスをとり、転覆することがなく、乗っている人の安全を確保する。
【００３６】
本考案によって提供される前記効果を備えた全包覆軽量タイプの幼児安全椅子は、公知技術と比べ、構造及び構成要素がより理想的であり、従来技術にかつてない機能と比較できない長所を備え、大きな進歩性を示すものである。
【００３７】
しかし、以上に述べたものは、本考案の実施例についての開示であり、本考案の実施範囲を制限するものではなく、実用新案登録請求の範囲に基づいてなされた均等変化や修飾は全て、本考案の登録請求の範囲に含まれることを、ここに明記する。
【符号の説明】
【００３８】
１０                  第一硬質層
１１、２１            上表面
１２、２２            下表面
１３、２３            固定部
１４                  脇骨部
２０                  第二硬質層
３０                  本体
３１                  内端面
３２                  外端面
４０                  案内溝
４０’                突出部
４５                  エア孔
５０                  錘部材
６０                  持ち手
１００                安全椅子
１０１                背もたれ区
１０２                腰掛け区
１０３                側面
１０４                エッジ部分
１０５                通風孔
１０６                枢着部
χ                    横方向参考軸
【図１】
0003171971.tif 000003
【図２】
0003171971.tif 000004
【図３】
0003171971.tif 000005
【図４】
0003171971.tif 000006
【図５】
0003171971.tif 000007
【図６】
0003171971.tif 000008